(57)【要約】【課題】  メディアの静止画像及び動画像を表示する装置の操作性を向上させる。【解決手段】  メモリカードから読出した画像データに基づく画像を映像表示器で表示させる際に、その表示画像の表示状態に付随する機能を実行するための操作ガイドをリモートコントローラのキーと関連付けて、アイコンとして画像と共に画面表示し、画像の表示状態を変えることで、付随する機能が変わったら、アイコンもそれに対応して変更するように構成した。また、リモートコントローラの色キーと、対応するアイコンのベースの色を同じにすることで、操作ガイドに基づく、リモートコントローラによる操作を行い易くした。  【選択図】図４
2006108748.tif 000002
【特許請求の範囲】
【請求項１】
複数の画像をそれぞれ構成する画像データが記録されたメディアから前記画像データを読出す手段と、
前記読出された画像データを処理し、前記複数の画像を一画面で表示する第１の表示形態に対応する画像信号と、前記複数の画像の一つを一画面に表示する第２の表示形態に対応する画像信号とを選択的に出力する手段と、
前記画像信号を表示する表示手段と、
前記画像データ読出し手段と、前記画像信号出力を制御して前記画像信号に基づく画像を前記第１の表示形態で表示するかあるいは第２の表示形態で表示するか切換えると共に、前記画像の表示状態に付随する機能を実行するための操作ガイドをリモートコントローラのキーに対応して表示させる制御手段と、
を具備したことを特徴とする画像表示装置。
【請求項２】
前記制御手段は、前記操作ガイドを前記リモートコントローラのカラーキーの色と機能を示す記号で表示させ、前記機能が割り当てられないカラーキーが存在する場合に、記号を表示せず色のみで表示するものであることを特徴とする請求項１に記載の画像表示装置。
【請求項３】
前記制御手段は、前記操作ガイドを前記リモートコントローラのキーに付された記号と同じ記号で表示するものであることを特徴とする請求項１に記載の画像表示装置。
【請求項４】
前記第２の表示形態は、複数の画面構成が切換えられて表示されるものであり、前記制御手段が、前記操作ガイドを画面構成の切換に対応して変更して表示するものであることを特徴とする請求項１乃至３のいずれかに記載の画像表示装置。
【発明の詳細な説明】
【技術分野】
【０００１】
この発明は、メモリカード等のメディアに記録された静止画像あるいは動画像を再生して表示するための画像表示装置及び画像表示方法に関し、特に操作手順の表示等、画像以外の補助的な表示を適切に、かつ機能的に行って操作性を高めた画像表示装置に関する。
【背景技術】
【０００２】
近年、高解像のデジタルカメラが広く普及してきており、その撮影された画像の表示装置として大画面の表示手段を備えているテレビジョン受像機が用いられるようになってきている。
【０００３】
すなわち、デジタルカメラは撮影した静止画像あるいは動画像を、フラッシュメモリ等で構成されるメモリカード等のメディアに記録する機能を備えており、テレビジョン受像機にそのメモリカードを装着して、記録した画像信号を読み出して映像信号を生成し表示させる機能を設けるようにしたものである。
【０００４】
デジタルカメラのメモリカードとしては、スマートメディア（登録商標）、ＳＤ（Secure Digital）メモリカード、メモリスティック等、規格の異なる複数種のものが適用されているため、テレビジョン受像機もそれらのメモリカードに対応したものとなっている。
【０００５】
メモリカードは、その容量が増大してきており、例えば１ＧＢの容量を持つものも商品化され、１枚のメモリカードに蓄積できる静止画像あるいは動画像のファイルの数もそれと共に増えてきている。
【０００６】
したがって、テレビジョン受像機をメモリカード画像ビューワーとして適用する際には、画面表示したい画像ファイルを簡単に選択できること、また表示の形態として、複数の画像をスライドショー的に順次切換表示したり、一つの画像を拡大表示したり、あるいは画像の表示角度を９０°変更したりする等、多様な表示形態を実現できること等の機能を備えていることが要望される。
【０００７】
従来、テレビジョン受像機をデジタルカメラで撮影した画像のビューワーとして利用するようにした提案が何件かなされており、また製品としてもそのような機能を備えたテレビジョン受像機が市場に登場するようになってきているが、ユーザにとって操作性という点で、充分満足のできるものがなく、その実現が要望されている。
【０００８】
例えば、特許文献１には、デジタルカメラで撮影した画像が記憶されているメモリカードをテレビジョン受像機に装着すると、自動的に、表示アプリケーションが起動するように構成したり、あるいは放送番組視聴中に、メモリカードから読出した画像を子画面表示させたり、あるいはリモートコントローラの４色キーと同じ色、配列のアイコンを画面表示して各種処理を実行できるようにした提案がなされているが、開示されている機能が少なく、処理も機能的に実行できないという問題を有している。
【特許文献１】特開２００２−１３５６７６号公報
【発明の開示】
【発明が解決しようとする課題】
【０００９】
この発明は、以上の点に鑑みてなされたものであり、複数の機能をそれぞれ実行する際に、その操作をより細部にわたって適切にユーザに案内できるようにして、操作性を向上させた画像表示装置を提供することを目的とする。
【課題を解決するための手段】
【００１０】
本発明の画像表示装置は、複数の画像をそれぞれ構成する画像データが記録されたメディアから前記画像データを読出す手段と、前記読出された画像データを処理し、前記複数の画像を一画面で表示する第１の表示形態に対応する画像信号と、前記複数の画像の一つを一画面に表示する第２の表示形態に対応する画像信号とを選択的に出力する手段と、前記画像信号を表示する表示手段と、前記画像データ読出し手段と、前記画像信号出力を制御して前記画像信号に基づく画像を前記第１の表示形態で表示するかあるいは第２の表示形態で表示するか切換えると共に、前記画像の表示状態に付随する機能を実行するための操作ガイドをリモートコントローラのキーに対応して表示させる制御手段と、を具備したことを特徴とする。
【発明の効果】
【００１１】
本発明によれば、ユーザにとって便利な複数の機能を、それぞれ細部にわたって、操作し易いしように、ユーザに案内することができるので、操作性を向上させることができるものである。
【発明を実施するための最良の形態】
【００１２】
以下、この発明の実施の形態について図面を参照して詳細に説明する。図１は、本発明に係る画像表示装置を搭載したテレビジョン受像機１００の概要を示す回路ブロックである。
【００１３】
図１のテレビジョン受像機１００は、デジタル放送の受信も可能な機器であり、ＢＳ（Broadcasting Satellite）／ＣＳ（Communications Satellite）デジタル放送受信用のアンテナ１０１で受信した衛星デジタルテレビジョン放送信号を受ける入力端子１０２を有している。そしてこの入力端１０２に供給される放送信号は、衛星デジタル放送用のチューナ１０３に供給されることにより、所望のチャンネルの放送信号が選局される。
【００１４】
すなわち、チューナ１０３では、制御部１０６からの制御信号に基づいて受信した衛星デジタル放送の所望のチャンネルを選局し、選局された放送信号は、ＰＳＫ（Phase Shift Keying）復調器１０４に供給されて、デジタルの映像信号及び音声信号に復調された後、信号処理部１０５に出力される。
【００１５】
信号処理部１０５は、受信信号のビットストリームに含まれる識別情報（ＩＤ）に基づいて、映像パケット、音声パケットを分離し、さらに番組情報等の付加情報を分離する。また、地上波放送受信用のアンテナ１０７で受信した地上デジタルテレビジョン放送（地上波デジタル放送）信号は、入力端子１０８を介して地上デジタル放送用のチューナ１０９に供給され、制御部１０６からの制御信号によって、所望のチャンネルの放送信号が選局される。
【００１６】
このチューナ１０９で選局された放送信号は、ＯＦＤＭ（Orthogonal Frequency Division Multiplexing）復調器１１０に供給されて、デジタルの映像信号及び音声信号に復調された後、信号処理部１０５に出力される。
【００１７】
信号処理部１０５は、受信信号のビットストリームに含まれる識別情報（ＩＤ）に基づいてパケットを分離し、さら付加情報を分離する。
【００１８】
また、地上波放送受信用のアンテナ１０７で受信した地上アナログテレビジョン放送信号は、入力端子１０８を介して地上アナログ放送用のチューナ１１１にも供給され、チューナ１１１で制御部１０６からの制御信号に基づいて所望のチャンネルの放送信号が選局される。そして、このチューナ１１１で選局された放送信号は、アナログ復調器１１２に供給されてアナログの映像信号及び音声信号に復調された後、信号処理部１０５に出力される。
【００１９】
信号処理部１０５は、ＰＳＫ復調器１０４及びＯＦＤＭ復調器１１０からそれぞれ供給されたデジタルの映像信号及び音声信号に対して、例えば選択的に所定のデジタル信号処理を施し、映像信号をグラフィック処理部１１３へ、また音声信号を音声処理部１１４に出力している。
【００２０】
すなわち、デジタル放送においては、映像信号及び音声信号が所定のフォーマットに基づいて圧縮符号化処理を施されており、信号処理部１０５では圧縮符号化された信号を復号して非圧縮のデジタル信号に変換するという機能を備える。また、後述するメモリカードから読出された静止画像データ、動画データ及び音声データについても、所定の復号処理を施して非圧縮のデジタル信号に変換する機能を備える。
【００２１】
また、信号処理部１０５には、複数（図示の場合は４つ）の入力端子１１５，１１６，１１７，１１８が接続されている。これら入力端子１１５〜１１８は、それぞれ、アナログの映像信号及び音声信号を、デジタルテレビジョン放送受信装置１００の外部から入力可能とするものである。
【００２２】
そして、この信号処理部１０５は、アナログ復調器１１２及び各入力端子１１５〜１１８からそれぞれ供給されたアナログの映像信号及び音声信号を選択的にデジタル化し、そのデジタル化された映像信号及び音声信号に対して所定のデジタル信号処理を施した後、グラフィック処理部１１３及び音声処理部１１４に出力している。
【００２３】
グラフィック処理部１１３は、信号処理部１０５から供給されるデジタルの映像信号に、ＯＳＤ（On Screen Display）信号生成部１１９で生成されるＯＳＤ信号を重畳して出力する機能を有する。このグラフィック処理部１１３は、信号処理部１０５の出力映像信号と、ＯＳＤ信号生成部１１９の出力ＯＳＤ信号とを選択的に出力すること、また、両出力をそれぞれ画面の半分を構成するように組み合わせて出力することができる。
【００２４】
ＯＳＤ信号生成部１１９は、制御部１０６の制御に基づき画像の内容を文字で示すためのＯＳＤ信号、あるいは操作のガイドとなるアイコンを表示するためのＯＳＤ信号を生成するものであるが詳細は後述する。
【００２５】
グラフィック処理部１１３から出力されたデジタルの映像信号は、映像処理部１２０に供給される。この映像処理部１２０は、入力されたデジタルの映像信号を、映像表示器１２１で表示可能なフォーマットの映像信号に変換した後、映像表示器１２１に出力して映像表示させると共に、出力端子１２２を介して外部に導出させる。
【００２６】
また、音声処理部１１４は、入力されたデジタルの音声信号を、スピーカ１２３で再生可能なフォーマットのアナログ音声信号に変換した後、スピーカ１２３に出力して音声再生させるとともに、出力端子１２４を介して外部に導出させる。
【００２７】
ここで、このデジタルテレビジョン放送受信装置１００は、上記した各種の受信動作を含むその全ての動作を制御部１０６によって統括的に制御される。
【００２８】
制御部１０６は、ＣＰＵ（Central Processing Unit）を主体に構成され、このＣＰＵが実行する制御プログラムを格納したＲＯＭ（Read Only Memory）１２５と、このＣＰＵに作業エリアを提供するＲＡＭ（Random Access Memory）１２６と、各種の設定情報及び制御情報等が格納される不揮発性メモリ１２７とを備えている。
【００２９】
制御部１０６には、操作部１２８が接続されると共に、リモートコントローラ１２９から送出される赤外線信号を受ける受光部１３０が接続されている。操作部１２８は、テレビジョン受像機１００の例えば前面キャビネットに設けられた複数の操作スイッチで構成され、リモートコントローラ１２９と共にユーザが操作することで、操作信号を制御部１０６に送り、チャンネル選局を始め、テレビジョン受像機１００の機能の調整あるいは動作の設定を行うことが可能である。
【００３０】
また、制御部１０６には、カードＩ／Ｆ（Interface）１３１を介して、第１のメモリカード１３２が装着可能なカードホルダ１３３が接続されていると共に、カードＩ／Ｆ１３４を介して、第２のメモリカード１３５が装着可能なカードホルダ１３６が接続されている。
【００３１】
第１のメモリカード１３２及び第２のメモリカード１３５は、例えばデジタルカメラで撮影された静止画像データ、動画像データ及び音声データが記憶されており、それらメモリカード１３２，１３５がカードホルダ１３３，１３６に装着されることで、制御部１０６はそれらの画像データ及び音声データを読出して、信号処理部１０５に導出する。
【００３２】
第１のメモリカード１３２は、例えばＳＤメモリカードであるかまたはメモリスティックであり、第２のメモリカード１３５は例えばスマートメディアである。ＳＤメモリカードとメモリスティックは外形寸法が同一であるため、カードホルダ１３３を共通に使用することが可能である。
【００３３】
また、制御部１０６は、通信Ｉ／Ｆ１３７を介して第１のＬＡＮ（Local Area Network）端子１３８に接続されている。これにより、制御部１０６は、第１のＬＡＮ端子１３８に接続された図示しない、例えばＬＡＮ対応のＨＤＤ（Hard Disk Drive）等の録画機器と、通信Ｉ／Ｆ１３７を介して情報伝送を行なうことができる。この場合、制御部１０６は、ＤＨＣＰ（Dynamic Host Configuration Protocol）サーバ機能を有し、第１のＬＡＮ端子１３８に接続されたＬＡＮ対応のＨＤＤにＩＰ（Internet Protocol）アドレスを割り当てて制御することになる。
【００３４】
さらに、制御部１０６は、通信Ｉ／Ｆ１３９を介して第２のＬＡＮ端子１４０に接続されている。これにより、制御部１０６は、第２のＬＡＮ端子１４０に接続された図示しない機器と、通信Ｉ／Ｆ１３９を介して情報伝送を行うことができる。
【００３５】
また、制御部１０６は、ＵＳＢ Ｉ／Ｆ１４１を介してＵＳＢ端子１４２に接続されている。これにより、制御部１０６は、ＵＳＢ端子１４２に接続された図示しない機器と、ＵＳＢ Ｉ／Ｆ１４１を介して情報伝送を行なうことができる。
【００３６】
さらに、制御部１０６は、ｉ．Link Ｉ／Ｆ１４３を介してｉ．Link端子１４４に接続されている。これにより、制御部１０６は、ｉ．Link端子１４４に接続された図示しない機器と、ｉ．Link Ｉ／Ｆ１４３を介して情報伝送を行なうことができる。
【００３７】
図２は、リモートコントローラ１２９のキー配置の一例を示す図である。リモートコントローラ１２９は、テレビジョン受像機１００の電源のオンオフを切換える電源キー２０１、チャンネルを切換えたり、数字データを入力するための数字キー２０２、視聴する信号の供給源を、メモリカード１３２，１３５と放送受信信号とで切換える入力切換キー２０３、処理を終了するあるいは前の画面に戻るＥＸＩＴキー２０４、映像表示器１２１の画面に表示される被選択項目にカーソルを移動させるカーソルキー２０５、カーソルを移動させた項目を登録する決定キー２０６と、４色キーを構成する青キー２０７、赤キー２０８、緑キー２０９、黄キー２１０を備えている。
【００３８】
次に、図１に示すテレビジョン受像機１００に搭載された本発明の画像表示装置についてその動作を詳細に説明する。
【００３９】
図１において、第１のメモリカード１３２と、第２のメモリカード１３５がそれぞれ、カードホルダ１３０と１３３に装着されると、制御部１０６は、それを検出して、自動的にメモリカード再生モードを設定する。すなわち、制御部１０６は、ＯＳＤ信号生成部１１９を駆使して、２つのメモリカード１３２，１３５のいずれかを選択するためのメディア選択画面用のＯＳＤ信号を生成して、これをグラフィック処理部１１３から、映像処理部１２０を介して映像表示器１２１に供給してその画面に選択画面を表示させる。
【００４０】
図３に、メディア選択画面の例を示す。画面３０１には、中央部分にメモリカード示すアイコンが模式的に表示されている。左から「ＳＭ」（スマートメディア）３０２、「ＳＤ」（ＳＤメモリカード）３０３、「ＭＳ」（メモリスティック）３０４である。なお、図３では各メモリカードを単にイニシャルで表現しているが、それぞれ設定されているロゴマークを使えば、より理解しやすくなる。
【００４１】
さて、図３においては、「ＭＳ」３０４の全体を複数の水平線で覆っているが、これは表示が暗いことを示しており、カードホルダ１３３には装着されていないことを示している。他の「ＳＭ」３０２、「ＳＤ」３０３は、明るく光っており、カードホルダ１３３，１３６に装着されていることを示している。さらに、「ＳＤ」３０３の周囲が斜線で囲われており、これはここにカーソル３０５が位置していることを示している。
【００４２】
さらに、画面３０１には、現在カーソル３０５が位置するＳＤメモリカードに記録されている画像の種類（静止画か動画か）と数量（ファイル数）が示されている。スチルカメラマーク３０６で静止画を示し、テレビカメラマーク３０７で動画を示しており、図３の例では、静止画が１４枚（ファイル）で動画が２プログラム（ファイル）記録されていることを示している。
【００４３】
この記録内容を示す情報は、メモリカード１３２，１３５がカードホルダ１３３，１３４に装着されてから、最初にカーソル３０５が位置した際に、制御部１０６が、そのメモリカードに記録されているファイル情報を読出して、それに基づいて、ＯＳＤ信号を生成させて表示させるものであり、表示に供される読出した情報は、制御部１０６によって不揮発性メモリ１２７あるいはＲＡＭ１２５に記憶される。
【００４４】
以降同じメモリカードが装着されている状態において、図３に示すメディア選択画面３０１が表示される場合には、不揮発性メモリ１２７あるいはＲＡＭ１２５から、その記録されている画像情報が読出されて表示される。したがって、都度メモリカードから読出すより速く、記録されている画像情報を表示することができるものである。
【００４５】
また、図３の画面３０１の最も下部には、リモートコントローラ１２９のキーに対応したアイコンが表示されるアイコン表示領域３０８が設けられており、図３では、カーソル３０５が位置するメモリカードに記録されている画像の一覧をサムネイルで表示するためのサムネイル表示アイコン３０９と、テレビジョン放送番組の視聴に切換えるための入力切換アイコン３１０が表示されている。
【００４６】
サムネイル表示アイコン３０９は、リモートコントローラ１２９の、矢印で示すカーソルキー２０５の中央に位置する決定キー２０６を操作することで実行されることを示しており、入力切換アイコン３１０は、同じマークが使われていることから、リモートコントローラ１２９の入力切換キー２０３を操作すればよいことを示している。
【００４７】
このアイコン３０９，３１０を表示するためのデータは、予めＲＯＭ１２５に記憶されており、制御部１０６が適宜データを読出してＯＳＤ信号生成部１１９で表示用のＯＳＤ信号に変換するものである。
【００４８】
この図３において、リモートコントローラ１２９の決定キー２０６を操作すると、制御部１０６は、メモリカード１３２からサムネイル情報を読出してこれを信号処理部１０５に送って処理し、さらにグラフィック処理部１１３で、映像表示器１２１の画面に、４列３行で最大計１２枚の静止画のサムネイル画像を表示すべく処理を行う。
【００４９】
さらに、制御部１０６は、不揮発性メモリ１２７あるいはＲＡＭに蓄積したメモリカードの記録画像情報を読出して、ＯＳＤ信号生成部１１９を駆使して、表示されているサムネイル画像の一つ（カーソルで選択される）の内容を示す文字情報で構成されるＯＳＤ信号を生成してグラフィック処理部１１３に供給し、さらに、サムネイル画像表示状態で使用可能なリモートコントローラ１２９のキーに対応したロゴマークのデータをＲＯＭ１２５から読出して、表示するためのＯＳＤ信号を生成して、グラフィック処理部１１３に送る。
【００５０】
グラフィック処理部１１３は、信号処理部１０５からのサムネイル画像信号とＯＳＤ信号生成部１１９からのＯＳＤ信号を重畳して、それを映像処理部１２０から映像表示器１２１に送って表示させる。
【００５１】
その結果、図４に示す画面が表示される。画面４０１の中央部に、１２枚のサムネイル画像が表示される。１２枚の画像の内、斜線を付した枠で示すカーソル４０２が位置する画像の具体的な情報がサムネイル画像表示領域の下方に示されている。具体的な情報としては、ここでは、撮影日時、ファイル名、全画像（ファイル）の何番目か、と解像度である。
【００５２】
さらに、画面４０１の最下方に、リモートコントローラ１２９のキーに対応したアイコンの表示領域４０３が設けられ、６個のアイコンが表示されている。最も左のアイコンが決定キー２０６を操作することで、カーソル４０２が位置する画像を単独表示させるためのアイコン４０４である。左から２番目から右から２番目までは、リモートコントローラ１２９の４色キー２０７〜２１０に対応したものであり、それぞれ色キーと同じ色の長円形枠の中に機能を示す記号が表示されている。
【００５３】
具体的には、左から２番目は、青色の長円形枠の中に全ての静止画像を順次自動的に切換えて表示する、いわゆるスライドショーを示す記号が示されたスライドショーアイコン４０５で、次が、赤色の長円形枠の中に画像の表示角度を切換える記号が示された表示角度切換アイコン４０６である。
【００５４】
さらに、次が緑色の長円形枠の中にスクリーンセーバの時間を設定する記号が示されたスクリーンセーバ時間設定アイコン４０７であり、次が、黄色の長円形枠の中にテレビカメラ記号が示された、画面を動画のサムネイル画像表示に切換えるための動画サムネイル画像表示アイコン４０８である。これらは、リモートコントローラ１２９の対応する色キーを操作するとその機能が実行される。
【００５５】
なお、図では、青色、赤色、緑色、黄色のアイコンにそれぞれＢ、Ｒ、Ｇ、Ｙを付して、それらが色情報を伴ったアイコンであることを示している。
【００５６】
最も右に表示されているのは、前の画面であるメディア選択画面（図３）に戻るのには、ＥＸＩＴキー２０４を操作すればよいことを示すＥＸＩＴアイコン４０９である。
【００５７】
さらに画面４０１の右上には、表示されている画像データが記憶されているメモリカードの種類を示す記号（実際にはロゴマーク）４１０が示されており、図４では、ＳＤメモリカードであることを示している。
【００５８】
図４の画面において、リモートコントローラ１２９の決定キー２０６を操作すると、カーソル４０２が存在した画像の単独表示画面になる。すなわち、制御部１０６は、メモリカードからカーソル４０２が存在した画像のデータを読出して、信号処理部１０５に送り、復号等の処理を施して非圧縮のデジタル映像信号に変換して、グラフィック処理部１１３に送る。
【００５９】
さらに、制御部１０６は、今まで表示されていた画像に関する情報をそのまま継続して表示させると共に、アイコン表示領域に新たなアイコンを表示させるべく、ＲＯＭ１２５からデータを読み出してＯＳＤ信号生成部１１９でＯＳＤ信号に変換してグラフィック処理部１１３に送る。
【００６０】
その結果、図５に示す画像が映像表示器１２１に表示される。図５において、画面５０１には、図４のサムネイル画像から選択された画像が単独で表示され、その下部分に表示されている画像の情報が表示され、最も下部のアイコン表示領域５０２には、リモートコントローラ１２９のキーに対応するアイコンが表示されている。
【００６１】
すなわち、画面上最も左には、図４のサムネイル画像で、現在単独表示されている画像の一つ前の画像に切換表示する画像戻り選択アイコン５０３が表示され、続いて同様に一つ後ろの画像に切換表示する画像進み選択アイコン５０４が表示されている。これらアイコン５０３，５０４はリモートコントローラ１２９のカーソルキー２０５のそれぞれ白抜き矢印方向キーを操作することで実行されることを示している。
【００６２】
また、次の４個のアイコンは、リモートコントローラ１２９の色キーに対応したもので、青色はスライドショーアイコン５０５で、次の赤色は表示角度切換アイコン５０６である。また、緑色が拡大表示アイコン５０７であり、緑キー２０９を操作すると表示画像が拡大され、黄色が情報表示切換アイコン５０８であり、黄色キー２１０を一度操作すると、撮影日時、ファイル名等の情報の表示が停止されて画面から消え、さらに操作するとアイコン表示領域５０２も画面５０１から消えて、静止画像のみの表示とすることが可能である。黄色キー２１０をもう一度操作すると図５の状態に戻る。
【００６３】
最後に、最も右に表示されているアイコンは、ＥＸＩＴアイコン５０９であり、この場合、リモートコントローラ１２９のＥＸＩＴキー２０４を操作すると、サムネイル画像表示、すなわち図４の表示状態に戻ることを示している。
【００６４】
以上、まず、図１に示すカードホルダ１３３，１３６の両方にメモリカード１３２，１３５が装着されてから、メディア選択画面（図３）が表示され、さらにサムネイル画像表示画面（図４）を経て単独画像表示画面（図５）までの静止画像を表示させるための基本的な操作手順について説明したがテレビジョン放送番組視聴状態から、リモートコントローラ１２９の入力切換キー２０３を操作して、図３に示すメディア選択画面を表示させた場合の動作も、不揮発性メモリ１２７あるいはＲＡＭ１２５への、メモリカードの記憶画像情報の書込み処理を除いて同じである。
【００６５】
また、メモリカードがいずれかの種類１枚しか装着されない場合は、図３に示すメディア選択画面は表示されずに、図４に示すサムネイル表示画面がいきなり表示されるようになる。
【００６６】
さらに、既に１枚のメモリカードが装着されている状態から、２枚目のメモリカードを装着した場合には、２枚目のメモリカードのサムネイル画像が表示される。
【００６７】
また、図３の画面からリモートコントローラ１２９の決定キー２０６を操作した場合、静止画のサムネイル画像が表示されるとしたが、これは、動画のサムネイル画像が表示されるようにしてもよく、また、静止画像が全く記録されていない場合には、当然ながら、動画のサムネイル画像がいきなり表示されるようになるものである。
【００６８】
以上説明した処理の部分を、図６、図７に示すフローチャートに基づき改めて説明する。
【００６９】
図６は、メモリカードに記録されている画像に関する情報を表示するための処理を説明するために示すフローチャートであり、ステップＳ６０１で開始され、ステップＳ６０２で、複数のメモリカードが装着されたか否かの判定がなされ、複数のメモリカードが装着されたと判定されたら、ステップＳ６０３でメディア選択画面を表示させて、ステップＳ６０４に進む。
【００７０】
ステップＳ６０４では、カーソルが移動したメモリカードから記録されている画像に関するデータを読出して不揮発性メモリ１２７あるいはＲＡＭ１２５に記憶し、次いでステップＳ６０５によって、記憶したデータに基づいて静止画と動画のファイル数を表示する。
【００７１】
次いで、ステップＳ６０６でサムネイル画像表示の要求があったか否かの判定が行われ、あった場合にはステップＳ６０７に進んでサムネイル画像表示を行うと共に、それによって選択される単一画面表示のための処理を実行する。
【００７２】
次いで、ステップＳ６０８でテレビジョン番組の視聴要求があったか否かの判定がなされ、要求があった場合にはステップＳ６０９で番組の視聴を実行する。すなわち、制御部１０６が、信号処理部１０５を制御して放送信号を受信して得た映像信号をグラフィック処理部１１３に送り、かつ受信した音声信号を音声処理部１１４に送るように切換える。
【００７３】
次のステップＳ６１０でメディア再生画像表示要求があったか否かの判定がなされ、あった場合には、ステップＳ６１１でメディア選択画面を表示させ、さらにステップＳ６１２で、メディア選択画面でカーソルが位置しているメモリカードの、不揮発性メモリ１２７あるいはＲＡＭ１２５に記憶されている記録画像ファイルに関する情報を読出して、静止画／動画のファイル数を表示させる。
【００７４】
以上のような処理によって、メモリカードに記憶されている画像の種類及びそのファイルの数を迅速に表示させることができるようになるものである。
【００７５】
さらに、図７は、装着されているメモリカードの数に対応した画面表示処理を実行するためのフローチャートである。
【００７６】
図７において、ステップＳ７０１で開始され、ステップＳ７０２でメディア再生指示があったか否かの判定がなされる。再生指示があったと判定された場合には、ステップＳ７０３で２種類のメモリカードが装着されているか否かの判定がなされ、２種類装着されている場合には、ステップＳ７０４に進む。
【００７７】
ステップＳ７０４では、メディア（メモリカード）選択画面を表示させ、次いでステップＳ７０５でカーソルが移動しているメモリカードに記録されている画像を静止画と動画に分けてそのファイル数を表示する。
【００７８】
次いで、ステップＳ７０６でメモリカードが選択されたか否かの判定がなされ、選択された場合に、ステップＳ７０７で選択されたメモリカードのファイルリストをサムネイル画像で表示する。
【００７９】
次にステップＳ７０８で単一画像表示あるいはスライドショーの要求があったか否かの判定がなされ、あった場合には、ステップＳ７０９で単一画像表示あるいはスライドショーを実行する。
【００８０】
次に、ステップＳ７１０でサムネイル表示の要求があったか否かの判定がなされ、あった場合には、ステップＳ７０４に戻る。また、サムネイル表示の要求がなかった場合には、ステップＳ７１１でカード再生表示終了の指示があったか否かの判定がなされ、あった場合にはステップＳ７１２で処理を終了する。
【００８１】
また、ステップＳ７０３で、メモリカードが１種類しか装着されていないと判定された場合には、ステップＳ７１３で、装着されているメモリカードのファイルリストをサムネイル表示する。
【００８２】
次いで、ステップＳ７１４で、単一画像表示あるいはスライドショー実行の要求があったか否かの判定がなされ、あった場合には、ステップＳ７１５で単一画像表示あるいはスライドショーを実行する。
【００８３】
次にステップＳ７１６でサムネイル表示の要求があったか否かの判定がなされ、あった場合には、ステップＳ７１３に戻る。また、サムネイル表示の要求がなかった場合には、ステップＳ７１７でカード再生表示終了の指示があったか否かの判定がなされ、あった場合にはステップＳ７１２で処理を終了する。
【００８４】
以上、説明したように、メモリカードの装着枚数（種類）に応じて処理を変えているので、メモリカードが１枚しか装着されていない場合には、必要のない画面（メディア選択画面）をスキップして処理できるため、処理が簡潔になって操作を簡単に行うことができるようになるものである。
【００８５】
次に、さらに本発明の画像表示装置における画像表示機能の細部について説明する。図５に示す状態は、サムネイル画像表示状態から選択された単一の画像表示状態を示すものであり、この状態から、例えば、リモートコントローラ１２９の黄色キー２１０を操作すると、制御部１０６は、ＯＳＤ信号処理部１１９あるいはグラフィック処理部１１３を制御して、図８に示すように、表示されている画像に関する情報の表示を停止し、画面８０１には、単一の画像と、アイコン表示領域８０２でのアイコンが表示されるようになる。
【００８６】
さらにリモートコントローラ１２９の黄色キー２１０を操作すると、制御部１０６は、アイコンの表示も停止するように制御し、それによって図９に示すように、画面９０１には、画像のみが表示されるようになり、さらにもう一度黄色キーを操作すると、図５での表示形態になる。
【００８７】
図５の状態から、例えばスライドショーを実行させる場合には、リモートコントローラ１２９の青色キー２０７を操作する。それによって、制御部１０６は、メモリカードに記録されている画像データを順次読出して、信号処理部１０５に送って、非圧縮のデジタル画像データに変換して、グラフィック処理部１１３に導出する。
【００８８】
グラフィック処理部１１３では、ＯＳＤ信号生成部１１９から表示用に供給される画像に関する情報信号を画像データに重畳して、映像表示器１２１で表示すべく出力する。
【００８９】
なお、このとき、表示される画像に関する情報の表示を停止する図８あるいは図９に示す状態では、制御部１０６は、不揮発性メモリ１２７あるいはＲＡＭ１２５に記憶されている画面表示される画像に関する情報を読出して、所定時間強制的に表示させるように動作する。
【００９０】
また、このように、表示される画像に関する情報が表示されない状況で、スライドショーに限らず、ユーザが手動で表示画像を切換える場合においても、画像に関する情報を同様に強制的に所定時間表示させるように構成することが好ましい。
【００９１】
このとき、表示させるタイミングとしては新たな画像に切換わってからであってもよいし、画像が切換わる前でもよいし、あるいは、今まで表示していた画像と新たな画像にそれぞれ跨って表示されるように構成してもよいし、さらには、画像に重畳されることなく、画像の切換わり目に挿入する形態で表示されるように構成することもできる。
【００９２】
図１０は、画像に関する情報が表示されていない状態で、表示画像を切換えた際に、画像に関する情報が表示される状態を示すものであり、画像が切換わった画面１００１に、その画像に関する情報１００２を表示している状態が示されている。
【００９３】
図１１は、以上説明した画像に関する情報の表示を停止している状況における、表示画像切換時の処理を改めて説明するためのフローチャートである。図１１において、ステップＳ１１０１で開始され、ステップＳ１１０２でメモリカード（メディア）の画像表示要求があったか否かの判定がなされ、あったと判定された場合に、ステップＳ１１０３でメディア選択画面から静止画リストをサムネイル表示する。
【００９４】
次いで、ステップＳ１１０４でサムネイル表示された画像の中から、単一表示したい画像を選択して、画像に関する情報（インフォメーション）と共に表示する。
【００９５】
次に、ステップＳ１１０５で、インフォメーションの表示停止指示があったか否かが判定され、あったと判定された場合には、ステップＳ１１０６で画像のみ（あるいは画像とアイコン）を表示する。
【００９６】
次に、ステップＳ１１０７で、次画像の表示指示があったか否かの判定がなされ、あったと判定された場合には、ステップＳ１１０８で次画像を表示し、さらにステップＳ１１０９で、その新たに表示された画像のインフォメーションを所定時間表示する。なお、このステップＳ１１０８とＳ１１０９の処理の順序は、前に説明したように逆にすることも可能である。
【００９７】
次に、ステップＳ１１１０で、サムネイル画像表示要求があったか否かの判定が行われ、あったと判定された場合には、ステップＳ１１０３に戻る。また、なかったと判定された場合には、ステップＳ１１１１でメモリカード再生終了の指示があったか否かの判定が行われ、あった場合には、ステップＳ１１１２で処理を終了し、なかったと判定された場合には、ステップＳ１１０７に戻る。
【００９８】
また、ステップＳ１１０５でインフォメーションの表示停止指示がなかったと判定された場合には、ステップＳ１１１３に進んで、次画像の表示指示があったか否かの判定がなされ、あったと判定された場合には、ステップＳ１１１４で、指定された画像をインフォメーション付きで表示する。
【００９９】
次に、ステップＳ１１１５で、サムネイル画像表示要求があったか否かの判定が行われ、あったと判定された場合には、ステップＳ１１０３に戻る。また、なかったと判定された場合には、ステップＳ１１１６でメモリカード再生終了の指示があったか否かの判定が行われ、あった場合には、ステップＳ１１１２で処理を終了し、なかったと判定された場合には、ステップＳ１１１３に戻る。
【０１００】
以上説明したように、表示画像に関する情報（インフォメーション）の表示を停止している状態において、表示画像を自動であるいは手動で切換える場合に、次に表示される画像のインフォメーションを強制的に所定時間表示するように構成することで、表示された画像の内容を的確に認識することが可能になり、メモリカードに記録された多くの画像の中から、目的の画像を素早く選択することができるようになるものである。
【０１０１】
次に、画像の表示角度を変更する処理について説明する。図４に示す画面において、リモートコントローラ１２９の赤色キー２０８が操作されたとすると、カーソル４０２が位置する画像の表示角度が切換えられる。すなわち、制御部１０６は、グラフィック処理部１１３あるいは映像処理部１２０を制御して、サムネイル画像の内、選択された画像の表示角度を切換える処理を実行させる。さらにこのとき、制御部１０６は、その画像の表示角度が変更されたという情報を不揮発性メモリ１２７あるいはＲＡＭ１２５に記憶させる。
【０１０２】
画像の表示角度を変更する処理が実行された結果、図１２に示すように、その画像が９０度反時計方向に回転した状態で表示されるようになる。
【０１０３】
図１２に示す状態から、表示角度が変えられた画像の単独表示に切換えるには、画面１２０１のアイコン表示領域１２０２の、単一画像表示切換アイコン１２０３に対応するリモートコントローラ１２９の決定キー２０６を操作する。
【０１０４】
それによって、図１３に示すように、図１２で表示角度が切換えられた画像が、同様に表示角度が切換えられた状態で単独表示されるようになる。
【０１０５】
この実施の形態によれば、画像の表示角度を変更したという情報が、不揮発性メモリ１２７あるいはＲＡＭに記憶されるため、例えば、一旦、テレビジョン番組の視聴に切換えてから、再びメモリカードの再生画像を視聴するように切換えた場合にも、メモリから表示角度を切換えた画像の情報が読込まれるため、図１２あるいは図１３に示す状態に復帰させることが可能である。
【０１０６】
図１４は、以上説明した、表示角度切換処理を改めて説明するためのフローチャートである。図１４において、ステップＳ１４０１で開始され、ステップＳ１４０２でメモリカードの画像表示要求があったか否かの判定がなされ、あったと判定された場合には、ステップＳ１４０３で静止画リストがサムネイル画像で表示される。
【０１０７】
次いで、ステップＳ１４０４で、表示された静止画リストに基づき、サムネイル画像表示あるいは単一画像表示の処理が実行される。次に、ステップＳ１４０５で画像の表示角度変更指示があったか否かの判定がなされ、あったと判定された場合には、ステップＳ１４０６で変更データを不揮発性メモリ１２７あるいはＲＡＭ１２５に記憶し、次いでステップＳ１４０７でデータに基づく角度で画像を表示する。ステップＳ１４０５で表示角度変更指示がなかったと判定された場合には、ステップＳ１４０４に戻る。
【０１０８】
次いで、ステップＳ１４０８でメモリカード以外の画像表示要求があったか否かの判定が行われ、あったと判定された場合には、ステップＳ１４０９で要求された画像を表示する。なかったと判定された場合には、ステップＳ１４０４に戻る。
【０１０９】
次いで、ステップＳ１４１０でメモリカードの画像表示要求があったか否かの判定がなされ、あったと判定された場合にはステップＳ１４１１でメモリに記憶されたデータに基づく表示角度で、メモリカードの画像を表示する。また、なかったと判定された場合にはステップＳ１４０９に戻る。
【０１１０】
次いで、ステップＳ１４１２でメモリカード再生終了の指示があったか否かの判定がなされ、あったと判定された場合にはステップＳ１４１３で処理を終了し、なかったと判定された場合にはステップＳ１４０４に戻る。
【０１１１】
以上説明した、実施の形態によれば、画像の表示角度を変更した場合に、そのデータがメモリに記憶されるために、一旦メモリカード再生画像以外の例えば、テレビジョン放送番組を視聴してから、再びメモリカード再生画像を表示するような場合においても、表示角度を変更した画像が、記憶されたデータに基づいて、表示角度を変更された状態で表示されるため、改めて、画像の表示角度を変更する等という手間が省けるようになるものである。
【０１１２】
次にスライドショーの表示時間間隔を変更する処理について説明する。例えば図８に示す画面において、リモートコントローラ１２９の青色キー２０７を操作すると、制御部１０６の制御の下、スライドショーが開始されるが、その際の画面を図１５に示す。
【０１１３】
図１５において、画面１５０１には、順次画像が切換られて表示され、同時にその表示画像に関する情報（インフォメーション）も表示される。さらにアイコン表示領域１５０２には、リモートコントローラ１２９の色キーに対応したアイコンが表示され、赤色キーに対応したスライドショーの画像の切換処理を一時停止させるポーズアイコン１５０３と、緑色キーに対応したスライドショーの表示時間間隔を設定するための表示間隔設定アイコン１５０４が表示されている。
【０１１４】
図１５に示す状態において、リモートコントローラ１２の緑色キー２０９を操作すると、図１６に示すように、画面１６０１にスライドショーの時間間隔を設定するためのウィンドウ１６０２が表示される。ウィンドウ１６０２には、６通りの設定時間が表示されており、リモートコントローラ１２９のカーソルキー２０５で、斜線で示すカーソル１６０３を設定したい時間の表示枠に移動させて、決定キー２０６を操作することで、スライドショーの表示間隔を変更することが可能である。また、リモートコントローラ１２９のＥＸＩＴキー２０４を操作することで、時間間隔設定のためのウィンドウ１６０２の表示を停止させることができるものである。
【０１１５】
以上、説明したスライドショーの時間間隔を設定する処理を図１７のフローチャートで改めて説明する。図１７において、ステップＳ１７０１で開始され、ステップＳ１７０２でスライドショーの実行要求があったか否かの判定がなされ、要求があったと判定された場合には、ステップＳ１７０３で、画像データをメモリカードから読出し、メモリに記憶されたデータに基づく時間間隔で、連続的に順次切換表示する。
【０１１６】
次いで、ステップＳ１７０４で表示時間間隔の変更要求があったか否かの判定がなされ、要求があったと判定されたら、ステップＳ１７０５で時間間隔設定画面を表示し、ステップＳ１７０６で時間間隔を変更してメモリに記憶されたデータを更新して、ステップＳ１７０３に戻って、新たな時間間隔でのスライドショーを実行する。
【０１１７】
また、ステップＳ１７０４で表示時間間隔の変更要求がなかったと判定された場合には、ステップＳ１７０７でスライドショーの終了指示があったか否かの判定がなされ、あった場合にはステップＳ１７０８で処理を終了し、終了指示がなかった場合には、ステップＳ１７０３に戻る。
【０１１８】
以上説明した、実施の態様においては、スライドショーを実行しいている最中に、時間間隔を変更するための画面を呼び出して、画面に基づいて時間間隔を変更することが可能で、変更した時間間隔でのスライドショーを直ちに再開させることができるため、操作が簡単になるという効果を有する。
【０１１９】
次に、拡大表示の処理について説明する。例えば図８に示す画面において、リモートコントローラ１２９の緑色キー２０９を操作することによって、画像が拡大されて表示されるものであるが、この実施の形態では、まず画像の全体が完全に表示されるモードに設定される。
【０１２０】
すなわち、例えば図１８に示すように、図８の表示状態に対して若干縮小されて表示されるようになる。さらに図１８の表示状態において、引続いてリモートコントローラ１２９の緑色キー２０９を操作すると、図１９に示すように２倍に拡大された画像が表示されるようになる。
【０１２１】
図１９では、表示画面１９０１の右上に２倍表示であることを示す表示１９０２が示されており、さらに画面の上下左右の端に、三角マーク１９０３が表示され、マーク１９０３の外側に、さらに画像が続いていることを示している。なお、図１８に示す全体を示す画像は、所定時間表示されてから、自動的に図１９に示す２倍表示画像に切換えられるように構成してもよい。
【０１２２】
図１９に示す状態から、さらにリモートコントローラ１２９の緑色キー２０９を操作すると、図２０に示すように例えば４倍に拡大された画像が表示されるようになる。図２０の画面２００１においては、その右上に、４倍表示であることを示す表示２００２がされており、画面の上下左右には図１９と同様に三角マーク２００３が表示されている。
【０１２３】
なお、表示画面を拡大する処理においては、画面の拡大制御と、表示画像に関する情報（インフォメーション）の表示制御の２通りの制御が可能であるため、図１９のアイコン表示領域１９０４のリモートコントローラ１２９の色キーに対応するアイコンも、緑色の拡大アイコン１９０５と、黄色のインフォメーション表示切換アイコン１９０６が表示されており、青色と赤色の長円形の枠内には何ら記号が表示されておらず、図１９の画面においては、リモートコントローラ１２９の青色キー２０７と赤色キー２０８は、何ら機能をもたないということを示している。
【０１２４】
さて、以上説明した、画像拡大処理について、図２１のフローチャートに基づいて改めて説明する。図２１において、ステップＳ２１０１で開始され、ステップＳ２１０２で、静止画像の単一表示が実行される。
【０１２５】
次いでステップＳ２１０３で拡大表示要求があったか否かの判定がなされ、あったと判定された場合には、ステップＳ２１０４で静止画の全体像を表示し、次いでステップＳ２１０５で２倍画像を表示する。
【０１２６】
次いで、ステップＳ２１０６で拡大表示要求があったか否かの判定がなされ、要求があったと判定された場合には、ステップＳ２１０７で４倍画像を表示する。
【０１２７】
次いで、ステップＳ２１０８で再び拡大表示要求があったか否かの判定がなされ、あったと判定された場合には、ステップＳ２１０７に戻って４倍画像の表示を続ける。すなわち、この実施の形態では、４倍表示を最大とするものである。
【０１２８】
ステップＳ２１０８で拡大表示要求がなかったと判定された場合には、ステップＳ２１０９で、拡大表示終了指示があったか否かの判定がなされ、あったと判定された場合には、ステップＳ２１１０で、標準画像表示に切換えてステップＳ２１１１で処理を終了する。
【０１２９】
また、ステップＳ２１０６で拡大表示要求がなかったと判定された場合には、ステップＳ２１１２で拡大表示終了指示があったか否かの判定がなされ、あった場合にはステップＳ２１１０に進んで標準画像の表示に切換えて処理を終了し、拡大表示終了指示がなかったと判定された場合には、ステップＳ２１０５に戻って２倍画像の表示を継続する。
【０１３０】
なお、以上説明したフローの内、ステップＳ２１０４とステップＳ２１０５は、ステップＳ２１０３の判定処理に連動して自動的に処理されるものとしたが、ステップＳ２１０４で処理を一旦中断して、さらに拡大表示要求があった場合に、ステップＳ２１０５を実行するように構成してもよい。
【０１３１】
以上説明した画像の拡大表示処理においては、一旦画像の全体像を表示するステップを設けるようにしたので、原画像に対して、どのように拡大されているかをユーザが確実に認識することが可能となるため、操作性が向上するという効果を奏する。
【０１３２】
さらに、表示画像を移動する処理について説明する。例えば図１９に示す２倍画像表示状態において、リモートコントローラ１２９のカーソルキー２０５を操作することで画像の表示位置を変更できるように構成されている。
【０１３３】
移動が可能か否かについては、画面の上下左右に表示された三角マーク１９０３が目安となり、これが表示されていれば、その方向には移動可能であるが、表示が消えた場合には、画像の端まで移動されたことを示している。
【０１３４】
図２２に示すフローチャートを参照してその処理について、改めて説明する。図２２において、ステップＳ２２で開始され、ステップＳ２２０２で、拡大表示要求があったか否かの判定がなされ、あったと判定された場合には、ステップＳ２２０３で拡大画像を上下左右マークと共に表示する。
【０１３５】
次いで、ステップＳ２２０４において、表示位置の変更要求があったか否かの判定がなされ、要求があったと判定された場合には、ステップＳ２０５において、表示位置を変更して４つのマークと共に表示する。
【０１３６】
次いで、ステップＳ２２０６において表示が端に達したか否かの判定がなされ、達していないと判定された場合には、ステップＳ２２０４に戻る。
【０１３７】
表示が端に達したと判定された場合には、ステップＳ２２０７で端に達した方向のマークの表示を停止し、次いでステップＳ２２０８で表示位置の復帰要求があったか否かの判定がなされ、あったと判定された場合には、ステップＳ２０３に戻る。また、なかったと判定された場合には、ステップＳ２２０９で拡大表示終了指示があったか否かの判定がなされ、あったと判定された場合には、ステップＳ２２１０で処理を終了し、なかったと判定された場合にはステップＳ２２０７に戻る。
【０１３８】
なお、ステップＳ２２０４で、表示位置変更要求がなかったと判定された場合には、ステップＳ２２１１に進んで、拡大表示終了指示があったか否かの判定を行い、あった場合には処理を終了し、なかった場合にはステップＳ２２０４に戻る。
【０１３９】
以上説明した実施の形態によれば、画像を移動させた際に、端まできたら、その方向のマークの表示を停止して表示しないように構成したので、ユーザが画像の移動状況を的確に判断することができ、余計な操作をしないで済むので、これも操作性の向上に貢献するものである。
【０１４０】
以上の説明では、もっぱら静止画像を表示する場場合について、説明したが、次に動画像の表示例について説明する。なお、動画像の表示も基本的には静止画像の表示と変わるところはないが、細部で異なる部分もありそれを中心に説明する。
【０１４１】
図４に示すように、サムネイル画像の表示状態において、リモートコントローラ１２９の黄色キー２１０を操作すると、制御部１０６は、メモリカードから動画像ファイルのサムネイル情報を読込んで、信号処理部１０５に送り、処理を施してグラフィック処理部１１３に出力させる。また、その動画像の情報を不揮発性メモリ１２７あるいはＲＡＭ１２６から読出してＯＳＤ信号生成部１１９に供給すると共に、アイコンに関するデータをＲＯＭ１２５から読出してＯＳＤ信号生成部１１９に供給してＯＳＤ信号を生成させてグラフィック処理部１１３に導出する。
【０１４２】
グラフィック処理部１１３では、それら信号をミックスして映像処理部１２０を介して映像表示器１２１に送って表示させる。それによって、図２３に示すように動画像のサムネイル表示が実現する。
【０１４３】
図２３において、画面２３０１には、その右上にメモリカードの種類を示す記号（実際にはロゴマーク）２３０２が表示され、画面中央には、静止画の場合と同様に、１２個の画像がサムネイル表示されている。
【０１４４】
さらに、画像が表示されている領域の下部には、斜線を付した枠で示すカーソル２３０３で囲まれた画像の情報が表示されている。この情報も、基本的には、静止画の場合と同様であり、撮影日時とファイルの名称と、カーソル２３０３が位置する画像が全体の何番目の画像であるかという情報と、解像度が表示されている。
【０１４５】
また、動画像には、音声情報が付加されることもあり、音声が付加されているか否かを音符記号２３０４で表示しており、図２３の例では、音声情報が付加された動画像ファイルということになる。なお、音楽情報が付加されていない場合には、例えば音符マーク２３０４に斜線を引く等の処理でそれを表現することができる。
【０１４６】
さらに、図２３において、アイコン表示領域２３０５には、単一表示に切換えて動画の再生を開始するためのアイコン２３０６と、動画像をスクリーンセーバの画像として利用する際の、表示時間を設定するためのスクリーンセーバ設定アイコン２３０７と、静止画のサムネイル表示に切換えるための静止画サムネイル表示切換アイコン２３０８と、表示画面を戻すためのＥＸＩＴアイコン２３０９が表示されている。
【０１４７】
図２３において、リモートコントローラ１２９の決定キー２０６を操作すると、制御部１０６が、カーソル２３０３が位置するサムネイル画像の実際の動画データをメモリカードから読出して、信号処理部１０５に供給して処理をさせて、グラフィック処理部１１３、映像処理部１２０を介して映像表示器１２１で表示させる。
【０１４８】
図２４は動画が表示されている例を示すもので、画面２４０１には、中央に動画像が表示されている。また、画面上部に再生経過時間をアナログ的に示す表示部２４０２が設けられており、動画像の下部には、表示されている画像の情報が表示されており、さらに最下部にアイコン表示領域２４０３が形成されている。
【０１４９】
アイコン表示領域２４０３には、表示させる動画像を、サムネイル画像で一つ前のものかあるいは一つ後のものに切換えるためのアイコン２４０４，２４０５と、動画の再生を一時停止（ポーズ）するためのアイコン２４０６と、リモートコントローラ１２９の色キーに対応した、青色の早戻しアイコン２４０７と、赤色の早送りアイコン２４０８と、緑色の拡大アイコン２４０９と、黄色のインフォメーション表示制御アイコン２４１０が設けられ、さらにサムネイル表示に戻すためのＥＸＩＴアイコン２４１１が設けられている。それらアイコンを操作することで、種々の機能を実行させることができものである。
【０１５０】
以上説明したように、本発明の画像表示装置によれば、表示された画像に関する操作ガイドをリモートコントローラのキーと関連付けて、アイコンで画面表示するようにしたので、ユーザは画面の操作ガイドを見ればリモートコントローラのどのキーを操作すればよいか一目で理解できるので、操作性が向上するものである。
【図面の簡単な説明】
【０１５１】
【図１】この発明の画像表示装置を搭載するテレビジョン受像機の構成を示す回路ブロック図。
【図２】図１の装置に適用されるリモートコントローラのキー配列の例を示す構成図。
【図３】本発明の画像表示装置におけるメディア選択画面の一実施の形態を示す図。
【図４】本発明の画像表示装置における静止画サムネイル表示画面の一実施の形態を示す図。
【図５】図４に示す画面で選択された静止画を単独で画面表示する一実施の形態を示す図。
【図６】メディア選択画面で表示される画像関連情報の処理を説明するためのフローチャート。
【図７】メモリカードの装着数によって異なる画像を表示するための処理を説明するためのフローチャート。
【図８】表示画像に関連する情報の表示を停止させた際の画面構成を説明するための図。
【図９】表示画像に関連する情報と、アイコンの表示を停止させた際の画面構成を説明するための図。
【図１０】表示画像に関連する情報の表示を停止させた状態で表示画像を切換えた際の画面表示を説明するための図。
【図１１】図１０に示す画像表示処理を説明するためのフローチャート。
【図１２】サムネイル画像で、画像の表示角度を変更した際の表示例を説明するための図。
【図１３】単独表示画像の表示角度を変更した際の表示例を説明するための図。
【図１４】図１２及び図１３に示す画像表示のための処理を説明するためのフローチャート。
【図１５】スライドショー表示の例を説明するための図。
【図１６】スライドショーにおける画像表示の時間間隔を変更する画面の例を説明するための図。
【図１７】スライドショーの画像表示の時間間隔を変更する処理を説明するためのフローチャート。
【図１８】画像拡大表示の過程を説明するための図。
【図１９】２倍拡大画面の表示例を示す図。
【図２０】４倍拡大画面の表示例を示す図。
【図２１】画像拡大表示の処理を説明するためのフローチャート
【図２２】画像移動表示処理を説明するためのフローチャート
【図２３】動画のサムネイル表示画像の例を示す図。
【図２４】動画像の単独表示例を説明するための図。
【符号の説明】
【０１５２】
１００…テレビジョン受像機
１０１…衛星放送受信アンテナ
１０２…入力端子
１０３…デジタル衛星放送受信用チューナ
１０４…ＰＳＫ復調器
１０５…信号処理部
１０６…制御部
１０７…地上放送受信アンテナ
１０８…入力端子
１０９…地上波デジタル放送受信用チューナ
１１０…ＯＦＤＭ復調器
１１１…地上波アナログ放送受信用チューナ
１１２…アナログ復調器
１１３…グラフィック処理部
１１４…音声処理部
１１５，１１６，１１７，１１８…外部入力端子
１１９…ＯＳＤ信号生成部
１２０…映像処理部
１２１…映像表示器
１２３…スピーカ
１２５…ＲＯＭ
１２６…ＲＡＭ
１２７…不揮発性メモリ
１２８…操作部
１２９…リモートコントローラ
１３０…受光部
１３１，１３４…カードＩ／Ｆ
１３２，１３５…メモリカード
１３３，１３６…カードホルダ
１３７，１３９…通信インターフェース
１３８，１４０…ＬＡＮ端子
１４１…ＵＳＢ Ｉ／Ｆ
１４２…ＵＳＢ端子
１４３…ｉ．ｌｉｎｋ Ｉ／Ｆ
１４４…ｉ．ｌｉｎｋ端子
グラフィック処理部、１４５…音声処理部、２１４〜２１７…入力端子、
【図１】
2006108748.tif 000003
【図２】
2006108748.tif 000004
【図３】
2006108748.tif 000005
【図４】
2006108748.tif 000006
【図５】
2006108748.tif 000007
【図６】
2006108748.tif 000008
【図７】
2006108748.tif 000009
【図８】
2006108748.tif 000010
【図９】
2006108748.tif 000011
【図１０】
2006108748.tif 000012
【図１１】
2006108748.tif 000013
【図１２】
2006108748.tif 000014
【図１３】
2006108748.tif 000015
【図１４】
2006108748.tif 000016
【図１５】
2006108748.tif 000017
【図１６】
2006108748.tif 000018
【図１７】
2006108748.tif 000019
【図１８】
2006108748.tif 000020
【図１９】
2006108748.tif 000021
【図２０】
2006108748.tif 000022
【図２１】
2006108748.tif 000023
【図２２】
2006108748.tif 000024
【図２３】
2006108748.tif 000025
【図２４】
2006108748.tif 000026